(57)【特許請求の範囲】
【請求項１】
表面の少なくとも一部が３次元曲面で構成された釣り用リールの部品組立体であって、
前記３次元曲面の一部を構成する、型成形された第１表面部品と、
前記第１表面部品と前記３次元曲面上で突き合わされ、前記第１表面部品と表面が面一になるように配置される、型成形された第２表面部品とを備え、
前記第１表面部品と第２表面部品とにおいて、突き合わせ面と各表面とのエッジがなす角度は、前記第１表面部品側が７０〜１１０度の範囲であり、前記第２表面部品側が１１０〜７０度の範囲であり、
前記突き合わせ面の内面側には、逃がし部が鋭角的に形成されている、釣り用リールの部品組立体。
【請求項２】
前記第１表面部品は、両軸受リールのリール本体の前部に配置されるサムレストであり、
前記第２表面部品は、前記リール本体のハンドル装着側と逆側に配置される側カバーである、請求項１に記載の釣り用リールの部品組立体。
【請求項３】
前記第１表面部品は、前記リール本体の前後方向に分割された金型により成形され、前記第２表面部品は、前記リール本体の左右方向に分割された金型により成形される、請求項２に記載の釣り用リールの部品組立体。
【請求項４】
前記両表面部品は、射出成形された合成樹脂成形品である、請求項１から３のいずれかに記載の釣り用リールの部品組立体。
【請求項５】
前記両表面部品は、ダイキャスト成形された金属成形品である、請求項１から３のいずれかに記載の釣り用リールの部品組立体。
【発明の詳細な説明】
【０００１】
【発明の属する技術分野】
本発明は、部品組立体、特に、表面の少なくとも一部が３次元曲面で構成された釣り用リールの部品組立体に関する。
【０００２】
【従来の技術】
スピニングリールや両軸受リール等の釣り用リールには、デザインや機能を考慮して３次元曲面で構成された部品組立体が多用されている。たとえば、両軸受リールやスピニングリールのリール本体（部品組立体の一例）は、３次元曲面で構成された複数の部品によって組み立てられている。３次元曲面で構成された部品を製造する場合、機械加工によって３次元曲面を形成すると加工が複雑になり加工コストが上昇するため、通常、型を使用した型成形法により製造される。たとえば、合成樹脂製の部品の場合には射出成形などの型成形法によって製造され、金属製の部品の場合にはダイキャストなどの型成形法によって製造される。
【０００３】
型の分割方向が異なる２つの部品を３次元曲面部分で突き合わせて部品組立体を構成する場合、従来、いずれかの部品の型の抜き方向に沿って突き合わせ面が配置されている。このため、突き合わせ部分の３次元曲面の形状によっては、一方の表面側のエッジが極端な鋭角になり、他方の表面側のエッジを極端な鈍角になることがある。たとえば、従来の両軸受リールの側カバーとサムレストを兼ねた前カバーとを突き合わせてリール本体を構成する場合、突き合わせ面が側カバーの抜き方向に沿って配置されることが多い。このため、リールの前後に分割される型によって形成される前カバーの突き合わせ部分の表面側のエッジが鋭角になり、リールの左右に分割される型によって形成される側カバーを鈍角になる。そして、鋭角のエッジを尖った状態に維持してなまらせないようにするために、エッジ部分で型を分割している。このようにすると、分割された２つの型から部品をスムーズに取り出すことができる。
【０００４】
【発明が解決しようとする課題】
前記従来の構成では、鋭角のエッジで型を分割しているので、鋭角のエッジの先端にバリが生じやすい。バリが生じると、その境界部分に掌や指が触ったとき違和感を覚える。したがって、バリが生じた場合には、バリを落とすバリ取り作業を行っている。しかし、エッジが鋭角のため、バリとエッジとの区別が識別しにくくなり、バリ取り作業でバリ以外のエッジまで削ってしまうおそれがある。バリ以外のエッジまで削ってしまうと突き合わせ部分で隙間があきすぎてしまい、隙間が目立って外観上の問題が生じる。
【０００５】
本発明の課題は、突き合わせ部分のエッジにバリが生じてもバリを識別しやすい部品組立体を提供することにある。
【０００６】
【課題を解決するための手段】
発明１に係る釣り用リールの部品組立体は、表面の少なくとも一部が３次元曲面で構成された組立体であって、第１表面部品と第２表面部品とを備えている。第１表面部品は、３次元曲面の一部を構成する、型成形された部品である。第２表面部品は、第１表面部品と突き合わされ、３次元曲面上で第１表面部品と表面が面一になるように配置される、型成形された部品である。第１表面部品と第２表面部品とにおいて、突き合わせ面と各表面とのエッジがなす角度は、第１表面部品側が７０〜１１０度の範囲であり、第２表面部品側が１１０〜７０度の範囲である。また、突き合わせ面の内面側には、逃がし部が鋭角的に形成されている。
【０００７】
この部品組立体では、突き合わせ面と各表面とのなす角度が７０〜１１０度の比較的９０度に近い角度に維持されているので、いずれの表面部品においても表面と突き合わせ面とのエッジに生じたバリがエッジに対して識別しやすくなる。このため、バリが生じてもバリだけを除去しやすくなる。
【０００８】
発明２に係る釣り用リールの部品組立体は、発明１に記載の組立体において、第１表面部品は、両軸受リールのリール本体の前部に配置されるサムレストを兼ねた前カバーであり、第２表面部品は、リール本体のハンドル装着側と逆側に配置される側カバーである。この場合には、バリを取り除きやすいので、サムレストを兼ねた前カバーと側カバーとの突き合わせ部分に指が触っても違和感を感じにくい。
【０００９】
発明３に係る釣り用リールの部品組立体は、発明２に記載の組立体において、第１表面部品は、リール本体の前後方向に分割された金型により成形され、第２表面部品は、リール本体の左右方向に分割された金型により成形される。この場合には、異なる方向に分割される型を使用して成形された２つの表面部品のバリを取りやすくなる。
【００１０】
発明４に係る釣り用リールの部品組立体は、発明１から３のいずれかに記載の組立体において、両表面部品は、射出成形された合成樹脂成形品である。この場合には、合成樹脂成形品のバリを取りやすくなる。
【００１１】
発明５に係る釣り用リールの部品組立体は、発明１から３のいずれかに記載の組立体において両表面部品は、ダイキャスト成形された金属成形品である。この場合には、金属成形品のバリを取りやすくなる。
【００１２】
【発明の実施の形態】
本発明の一実施形態を採用した両軸受リールは、図１及び図２に示すように、ベイトキャスト用のロープロフィール型のリールである。この両軸受リールは、リール本体１と、リール本体１の側方に配置されたスプール回転用のハンドル組立体２と、リール本体１の内部に回転自在かつ着脱自在に装着された糸巻き用のスプール４とを備えている。ハンドル組立体２のリール本体１側には、ドラグ調整用のスタードラグ３が設けられている。
【００１３】
リール本体１は、図１〜図５に示すように、フレーム５と、フレーム５の両側方に装着された側カバー６ａ，６ｂ（第２表面部品の一例）と、フレーム５の前方を覆う前カバー７（第１表面部品の一例）とを有している。リール本体１の外形は、全体として前側が絞られた形状である。
【００１４】
フレーム５は、たとえばアルミニウム合金をダイキャスト成形して得られた金属製のものである。フレーム５は、左右に間隔を隔てて配置された左右１対の側板８ａ，８ｂと両側板８ａ，８ｂを連結する２つの連結部材９ａ，９ｂとを有している。側板８ａ，８ｂは、概ね卵形の板状部材であり、縁部にそれぞれ外方に突出する縁取り部８ｃ，８ｄを有している。この縁取り部８ｃ，８ｄの先端に側カバー６ａ，６ｂの縁部が段差なく突き合わされている。連結部材９ａ，９ｂは、リールの前部と下部とで側板８ａ，８ｂをそれぞれ連結している。前部の連結部材９ａは、前カバー７が装着される分だけ低く形成された段差部９ｃを有している。この段差部９ｃにより前カバー７がフレーム５に対して面一に装着される。下側の連結部９ｂには、前後に延びる竿取付脚１０が一体形成されている。
【００１５】
側カバー６ａは、側板８ａの外方を空間をあけて覆うように外方に凸に湾曲した合成樹脂製の型成形された部材である。側カバー６ａの外面は、パーミングしたときに違和感が生じないようにするために、滑らかな３次元曲面を有している。側カバー６ａは、側板８ａの後下部に揺動自在かつ接離自在に装着され、側板８ａに対して開閉する。側カバー６ａの中央部には、開閉操作のための操作部１５が設けられている。また、操作部１５の中心部には、図示しないスプール制動用の遠心制動装置の制動力を調整するための調整部１６が設けられている。
【００１６】
側カバー６ｂは、側板８ｂの外方を空間をあけて覆うように外方に凸に湾曲した合成樹脂製の型成形された部材である。側カバー６ｂは、側板８ｂにビスにより固定されている。側カバー６ａ，６ｂは、リールの左右方向に分割された金型により、たとえば射出成形により製造される。
【００１７】
側カバー６ａ，６ｂの前上部には、前カバー７を面一に突き合わせするための突き合わせ部２０が形成されている。図６に示すように、突き合わせ部２０の突き合わせ面２０ａと側カバー６ａ，６ｂの表面（接線）とのエッジがなす角度αが１１０〜７０度の範囲になるように、突き合わせ面２０ａは３次元的にねじれるように形成されている。このような範囲に角度αが設定されていると、側板６ａを型成形するときにエッジにバリが生じてもバリとエッジとが見分け易くなり、バリだけを確実に除去しやすい。
【００１８】
また、突き合わせ面２０ａの内面側には、逃がし部２０ｂが鋭角的に形成されている。このような逃がし部２０ｂを形成すると、金型によって側カバー６ａ，６ｂを製造するとき、金型の突き合わせ面を修正しやすくなる。すなわち、この逃がし部２０ｂを形成しないと、金型を修正する必要が生じた場合、他の部材との突き合わせ面に影響したり、金型に内装する部材との干渉が生じる場合がある。しかし、逃がし部２０ｂを設けることでこれらの不都合を解消して金型の修正が容易になる。
【００１９】
前カバー７は、合成樹脂製の型成形された部材であり、側カバー６ａ，６ｂとの突き合わせ部分で表面に連続した３次元曲面が面一に形成されている。前カバー７は、リールの前後方向に分割された金型により、たとえば射出成形により製造される。前カバー７は、サムレストを兼ねており、側板８ａ，８ｂにビスにより固定されている。前カバー７の縁部２１は、３次元的な曲線で構成されており、フレーム５の側板８ａ，８ｂ及び連結部材９ａと、側カバー６ａ，６ｂの突き合わせ部２０とに突き合わされる。図６に示すように、前カバー７の縁部２１の突き合わせ面２１ａと前カバー７の表面とのエッジがなす角度βが７０〜１１０度の範囲になるように、突き合わせ面２１ａは３次元的にねじれるように形成されている。このような範囲にあると、前カバー７を型成形するときにエッジにバリが生じてもバリとエッジとが見分け易くなり、バリだけを確実に除去しやすい。また、突き合わせ面２１ａの内面側には、側カバー６ａと同様な逃がし部２１ｂが鋭角的に形成されている。
【００２０】
スプール４は、リール本体１に回転自在に支持されており、側カバー６ａを開くと、側板８ａ側から着脱できる。
【００２１】
このような構成の両軸受リールでは、前カバー７と側板６ａとが連続した３次元曲面で構成されているので、パーミングしたときに掌に違和感が生じにくくなる。また、前カバー７と両側カバー６ａ，６ｂとの突き合わせ面２０，２１が比較的９０度に近くなるように３次元的に形成されているので、成型時にバリが生じてもバリとエッジとを識別しやすくなり、バリだけを確実に除去しやすい。
【００２２】
〔他の実施形態〕
（ａ）前記実施形態では、両軸受リールの側カバーと前カバーとを有するリール本体を例に説明したが、本発明はこれに限定されず、たとえばスピニングリールのリール本体やロータ等の部品組立体にも適用できる。
【００２３】
（ｂ）前記実施形態では、合成樹脂製の型成形された部品組立体を例に説明したが、たとえば、ダイキャスト成形などで型成形された金属製の部品組立体にも本発明を適用できる。
【００２４】
【発明の効果】
本発明によれば、突き合わせ面と各表面とのなす角度が７０〜１１０度の比較的９０度に近い角度に維持されているので、いずれの表面部品においても表面と突き合わせ面とのエッジに生じたバリがエッジに対して識別しやすくなる。このため、バリが生じてもバリだけを除去しやすくなる。
【図面の簡単な説明】
【図１】  本発明の一実施形態を採用した両軸受リールの斜視図。
【図２】  前カバーを外した状態の両軸受リールの斜視図。
【図３】  前カバーを外した状態の両軸受リールの正面図。
【図４】  前カバーを外した状態の両軸受リールの平面図。
【図５】  前カバーを外した状態の両軸受リールの右側面図。
【図６】  前カバーと側カバーとの突き合わせ部分の断面拡大部分図。
【符号の説明】
１  リール本体
６ａ，６ｂ  側カバー
７  前カバー
２０  突き合わせ部
２０ａ  突き合わせ面
２１  縁部
２１ａ  突き合わせ面
【図１】
0004414541.tif 000002
【図２】
0004414541.tif 000003
【図３】
0004414541.tif 000004
【図４】
0004414541.tif 000005
【図５】
0004414541.tif 000006
【図６】
0004414541.tif 000007